(57)【要約】本開示のある特定の態様は、他のデバイスによる送信を制限する、制限されたアクセスウィンドウ（ＲＡＷ）によって保護されることを望む送信間隔を示すリレーのための方法および装置を提供する。
2016521089.tif 000002
【特許請求の範囲】
【請求項１】
ワイヤレス通信のための装置であって、前記装置はワイヤレスノードにワイヤレス通信可能に結合され、
送信間隔を識別するように構成された処理システムと、
前記送信間隔の間にネットワークトラフィックを制限するための制限されたアクセスウィンドウ（ＲＡＷ）を確立するよう前記ワイヤレスノードに要求するリクエストを送信するように構成される送信機と
を備える、装置。
【請求項２】
前記リクエストは、ターゲットウェイクアップ時間（ＴＷＴ）リクエストを備える、請求項１に記載の装置。
【請求項３】
前記ＴＷＴリクエストは、ＲＡＷを確立するためのリクエストを示す少なくとも１つのビットを備える、請求項２に記載の装置。
【請求項４】
前記ＴＷＴリクエストに対する応答を受信するように構成された受信機をさらに備え、前記応答は、前記リクエストが許可されたかどうかを示す少なくとも１つのビットを備える、請求項３に記載の装置。
【請求項５】
前記送信機は、前記送信間隔の間にビーコンを送信するようにさらに構成される、請求項１に記載の装置。
【請求項６】
前記処理システムは、送信が前記送信間隔とオーバーラップする少なくとも１つのワイヤレスデバイスを識別するように構成される、請求項１に記載の装置。
【請求項７】
前記送信機は、前記リクエストと共に前記少なくとも１つのワイヤレスデバイスにインジケーションを提供するように構成される、請求項６に記載の装置。
【請求項８】
前記インジケーションは、少なくとも１つのＭＡＣ ＩＤを備える、請求項７に記載の装置。
【請求項９】
ワイヤレス通信のための装置であって、
第１のワイヤレスデバイスの送信間隔の間にネットワークトラフィックを制限するための制限されたアクセスウィンドウ（ＲＡＷ）を確立するためのリクエストを前記第１のワイヤレスデバイスから受信するように構成された受信機と、
前記ＲＡＷのインジケーションを少なくとも第２のワイヤレスデバイスに送信するように構成された送信機と
を備える、装置。
【請求項１０】
前記リクエストは、ターゲットウェイクアップ時間（ＴＷＴ）リクエストを介して受信される、請求項９に記載の装置。
【請求項１１】
前記ＴＷＴリクエストは、前記装置が前記送信間隔の間にネットワークトラフィックを制限するための前記ＲＡＷを確立するためのリクエストを前記ＴＷＴリクエストがシグナリングすることを示す少なくとも１つのビットを備える、請求項１０に記載の装置。
【請求項１２】
前記送信機は、前記第１のワイヤレスデバイスを、前記ＲＡＷの間に送信することが許可されたものとして識別するようにさらに構成される、請求項９に記載の装置。
【請求項１３】
前記リクエストは、少なくとも前記第２のワイヤレスデバイスのインジケーションを含む、請求項９に記載の装置。
【請求項１４】
前記インジケーションは、少なくとも１つのＭＡＣ ＩＤを備える、請求項１３に記載の装置。
【請求項１５】
送信が前記第１のワイヤレスデバイスの前記送信間隔と潜在的にオーバーラップする他のワイヤレスデバイスにサービス提供している１つ以上のワイヤレスデバイスを識別するように構成された処理システムをさらに備える、請求項９に記載の装置。
【請求項１６】
装置によるワイヤレス通信のための方法であって、前記装置はワイヤレスノードにワイヤレス通信可能に結合され、
送信間隔を識別することと、
前記送信間隔の間にネットワークトラフィックを制限するための制限されたアクセスウィンドウ（ＲＡＷ）を確立するよう前記ワイヤレスノードに要求するリクエストを送信することと
を備える、方法。
【請求項１７】
前記リクエストは、ターゲットウェイクアップ時間（ＴＷＴ）リクエストを備える、請求項１６に記載の方法。
【請求項１８】
前記ＴＷＴリクエストは、ＲＡＷを確立するためのリクエストを示す少なくとも１つのビットを備える、請求項１７に記載の方法。
【請求項１９】
前記ＴＷＴリクエストに対する応答を受信することをさらに備え、前記応答は、前記リクエストが許可されたかどうかを示す少なくとも１つのビットを備える、請求項１８に記載の方法。
【請求項２０】
前記送信することは、前記送信間隔の間にビーコンを送信することを備える、請求項１６に記載の方法。
【請求項２１】
前記識別することは、送信が前記送信間隔とオーバーラップする少なくとも１つのワイヤレスデバイスを識別することを備える、請求項１６に記載の方法。
【請求項２２】
前記送信することは、前記リクエストと共に前記少なくとも１つのワイヤレスデバイスにインジケーションを提供することを備える、請求項２１に記載の方法。
【請求項２３】
前記インジケーションは、少なくとも１つのＭＡＣ ＩＤを備える、請求項２２に記載の方法。
【請求項２４】
装置によるワイヤレス通信のための方法であって、
第１のワイヤレスデバイスの送信間隔の間にネットワークトラフィックを制限するための制限されたアクセスウィンドウ（ＲＡＷ）を確立するためのリクエストを前記第１のワイヤレスデバイスから受信することと、
前記ＲＡＷのインジケーションを少なくとも第２のワイヤレスデバイスにシグナリングすることと
を備える、方法。
【請求項２５】
前記リクエストは、ターゲットウェイクアップ時間（ＴＷＴ）リクエストを介して受信される、請求項２４に記載の方法。
【請求項２６】
前記ＴＷＴリクエストは、前記装置が前記送信間隔の間にネットワークトラフィックを制限するための前記ＲＡＷを確立するためのリクエストを前記ＴＷＴリクエストがシグナリングすることを示す少なくとも１つのビットを備える、請求項２５に記載の方法。
【請求項２７】
前記送信することは、前記第１のワイヤレスデバイスを、前記ＲＡＷの間に送信することが許可されたものとして識別することを備える、請求項２４に記載の方法。
【請求項２８】
前記リクエストは、少なくとも前記第２のワイヤレスデバイスのインジケーションを含む、請求項２４に記載の方法。
【請求項２９】
前記インジケーションは、少なくとも１つのＭＡＣ ＩＤを備える、請求項２８に記載の方法。
【請求項３０】
送信が前記第１のワイヤレスデバイスの前記送信間隔と潜在的にオーバーラップする他のワイヤレスデバイスにサービス提供している１つ以上のワイヤレスデバイスを識別することをさらに備える、請求項２４に記載の方法。
【発明の詳細な説明】
【関連出願の相互参照】
【０００１】
[0001]  本特許出願は、２０１３年６月３日に出願された、米国仮出願番号第６１／８３０，５３５号の優先権を主張し、本願の譲受人に譲渡され、その全体が本明細書における参照により本明細書に明確に組み込まれている。
【技術分野】
【０００２】
[0002]  本開示のある特定の態様は、一般に、ワイヤレス通信に関し、より具体的には、リレーを利用するワイヤレスシステムのような、ワイヤレスシステムにおける送信時間間隔（例えば、ビーコン送信間隔）を示すことに関する。
【背景技術】
【０００３】
[0003]  ワイヤレス通信ネットワークは、音声、ビデオ、パケットデータ、メッセージング、ブロードキャスト、等のような、様々な通信サービスを提供するために広く展開されている。これらのワイヤレスネットワークは、利用可能なネットワークリソースを共有することによって複数のユーザをサポートすることができる多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
[0004]  より広いカバレッジおよび通信範囲の拡大への望みに対処するために、様々なスキームが展開されている。そのようなスキームの１つは、米国電気電子学会（ＩＥＥＥ）８０２．１１ａｈタスクフォースによって展開されているｓｕｂ−１−ＧＨｚ周波数範囲（例えば、合衆国内の９０２から９２８ＭＨｚ範囲で動作する）である。この展開は、他のＩＥＥＥ８０２．１１グループよりも広いワイヤレス範囲とより低い障害損失（obstruction losses）を有する周波数範囲を利用したいという要望によって推進されている。
【発明の概要】
【０００５】
[0005]  本開示のある特定の態様は、ワイヤレス通信のための装置を提供し、該装置は、ワイヤレスノードにワイヤレス通信可能に結合される。装置は、概して、装置からの送信が他のワイヤレスデバイス（例えば、その送信がオーバーラップする）からの送信から保護される必要がある送信間隔を識別するように構成された処理システムと、親ノード（parent node）が送信間隔の間にネットワークトラフィックを制限するための制限されたアクセスウィンドウ（ＲＡＷ：restricted access window）を確立するためのリクエストを送信するように構成された送信機を含む。
【０００６】
[0006]  本開示のある特定の態様は、ワイヤレス通信のための装置を提供する。装置は、概して、第１のワイヤレスデバイスの送信間隔の間にネットワークトラフィックを制限するための制限されたアクセスウィンドウ（ＲＡＷ）を確立するためのリクエストを第１のワイヤレスデバイスから受信するように構成された受信機と、ＲＡＷのインジケーションを少なくとも第２のワイヤレスデバイスに送信するように構成された送信機を含む。
【０００７】
[0007]  本開示のある特定の態様は、ワイヤレス通信のための装置を提供し、該装置は、ワイヤレスノードにワイヤレス通信可能に結合される。装置は、概して、装置からの送信が他のワイヤレスデバイスからの送信から保護される必要がある送信間隔を識別するための手段と、親ノードが送信間隔の間にネットワークトラフィックを制限するための制限されたアクセスウィンドウ（ＲＡＷ）を確立するためのリクエストを送信するための手段を含む。
【０００８】
[0008]  本開示のある特定の態様は、ワイヤレス通信のための装置を提供する。装置は、概して、第１のワイヤレスデバイスの送信間隔の間にネットワークトラフィックを制限するための制限されたアクセスウィンドウ（ＲＡＷ）を確立するためのリクエストを第１のワイヤレスデバイスから受信するための手段と、ＲＡＷのインジケーションを少なくとも第２のワイヤレスデバイスに送信するための手段を含む。
【０００９】
[0009]  本開示のある特定の態様は、装置によるワイヤレス通信のための方法を提供し、該装置は、ワイヤレスノードにワイヤレス通信可能に結合される。方法は、概して、装置からの送信が他のワイヤレスデバイスからの送信から保護される必要がある送信間隔を識別することと、親ノードが送信間隔の間にネットワークトラフィックを制限するための制限されたアクセスウィンドウ（ＲＡＷ）を確立するためのリクエストを送信することを含む。
【００１０】
[0010]  本開示のある特定の態様は、ワイヤレス通信のための方法を提供する。装置は、概して、第１のワイヤレスデバイスの送信間隔の間にネットワークトラフィックを制限するための制限されたアクセスウィンドウ（ＲＡＷ）を確立するためのリクエストを第１のワイヤレスデバイスから受信するための手段と、ＲＡＷのインジケーションを少なくとも第２のワイヤレスデバイスに送信するための手段を含む。
【００１１】
[0011]  本開示のある特定の態様は、命令を記憶したコンピュータ可読記憶媒体を備える、装置によるワイヤレス通信のためのコンピュータプログラム製品を提供し、該装置は、ワイヤレスノードにワイヤレス通信可能に結合される。命令は、概して、装置からの送信が他のワイヤレスデバイスからの送信から保護される必要がある送信間隔を識別するための命令と、親ノードが送信間隔の間にネットワークトラフィックを制限するための制限されたアクセスウィンドウ（ＲＡＷ）を確立するためのリクエストを送信するための命令を含む。
【００１２】
[0012]  本開示のある特定の態様は、命令を記憶したコンピュータ可読記憶媒体を備える、装置によるワイヤレス通信のためのコンピュータプログラム製品を提供する。命令は、概して、第１のワイヤレスデバイスの送信間隔の間にネットワークトラフィックを制限するための制限されたアクセスウィンドウ（ＲＡＷ）を確立するためのリクエストを第１のワイヤレスデバイスから受信するための命令と、ＲＡＷのインジケーションを少なくとも第２のワイヤレスデバイスに送信するための命令を含む。
【００１３】
[0013]  本開示のある特定の態様は、ワイヤレスノードに通信可能に結合される局を提供する。局は、概して、少なくとも１つのアンテナと、装置からの送信が他のワイヤレスデバイスからの送信から保護される必要がある送信間隔を識別するように構成された処理システムと、親ノードが送信間隔の間にネットワークトラフィックを制限するための制限されたアクセスウィンドウ（ＲＡＷ）を確立するためのリクエストを、少なくとも１つのアンテナを介して、送信するように構成された送信機を含む。
【００１４】
[0014]  本開示のある特定の態様は、アクセスポイントを提供する。アクセスポイントは、概して、少なくとも１つのアンテナと、第１のワイヤレスデバイスの送信間隔の間にネットワークトラフィックを制限するための制限されたアクセスウィンドウ（ＲＡＷ）を確立するためのリクエストを第１のワイヤレスデバイスから受信するように構成された受信機と、ＲＡＷのインジケーションを、少なくとも１つのアンテナを介して、少なくとも第２のワイヤレスデバイスに送信するように構成された送信機を含む。
【００１５】
[0015]  本開示の上記特徴を詳細に理解できるように、上で簡潔に要約されたより具体的な説明が、態様を参照して行われることができ、そのいくつかは添付の図面に示されている。しかしながら、添付の図面は、この開示のある特定の典型的な態様のみを示しており、それゆえ、その範囲を限定するものと考えられるべきではなく、説明のために、他の同等に効果的な態様にも認められ得るものであることに留意されたい。
【図面の簡単な説明】
【００１６】
【図１】[0016]  図１は、本開示のある特定の態様に従って、実例的なワイヤレス通信ネットワークの図を示す。
【図２】[0017]  図２は、本開示のある特定の態様に従って、実例的なアクセスポイントおよびユーザ端末のブロック図を示す。
【図３】[0018]  図３は、本開示のある特定の態様に従って、実例的なワイヤレスデバイスのブロック図を示す。
【図４】[0019]  図４は、本開示のある特定の態様に従って、例えば、リレーまたは何らかの他のタイプのデバイスとしての機能を果たすワイヤレスデバイスによる、ワイヤレス通信の実例的な動作のブロック図を示す。
【図４Ａ】[0020]  図４Ａは、図４に示した動作を実行することができる実例的な手段を示す。
【図５】[0021]  図５は、本開示のある特定の態様に従って、例えば、アクセスポイントまたは何らかの他のタイプのデバイスによる、ワイヤレス通信の実例的な動作のブロック図を示す。
【図５Ａ】[0022]  図５Ａは、図５に示した動作を実行することができる実例的な手段を示す。
【図６】[0023]  図６は、本開示のある特定の態様に従って、リレー局とアクセスポイントとの間の実例的なメッセージの交換を示す。
【図７】[0024]  図７は、本開示のある特定の態様に従って、リレー局とアクセスポイントとの間の実例的なメッセージの交換を示す。
【詳細な説明】
【００１７】
[0025]  本開示の態様は、オーバーラップするビーコン送信時間間隔のスケジューリングを回避することで、他のデバイスからの干渉送信から、送信されたビーコンを保護するのに役立つ技法を提供する。
【００１８】
[0026]  本開示の様々な態様は、添付図面を参照して以下においてより十分に説明される。しかしながら、本開示は、多くの異なる形態で具現化され、本開示全体を通して提示される任意の特定の構造または機能に限定されるものとして解釈されるべきではない。むしろ、これらの態様は、この開示を徹底的かつ完全なものとし、本開示の範囲が当業者に十分に伝わるように、提供されるものである。本明細書での教示に基づき、当業者は、本開示の範囲が、本開示の任意の他の態様と組み合わされて実現されようと、独立して実現されようと、本明細書に開示される開示の任意の態様をカバーするように意図されていることを理解すべきである。例えば、本明細書に説明される任意の数の態様を使用して、装置が実現され、方法が実施され得る。さらに、本開示の範囲は、他の構成および機能、すなわち、本明細書に説明された開示の様々な態様に加えた構成および機能、または、それらの態様以外の構成および機能を使用して実施された、そのような装置または方法をカバーするように意図されている。本明細書に開示された開示の任意の態様は、特許請求の範囲の１つ以上の要素によって具現化され得ることが理解されるべきである。
【００１９】
[0027]  特定の態様が本明細書で説明されるが、これらの態様の多くの変形および置換が、本開示の範囲内に含まれる。好ましい態様のいくつかの利益および利点が述べられるが、本開示の範囲は、特定の利益、使用、または、目的に限定されるように意図されたものではない。むしろ、本開示の態様は、異なるワイヤレス技術、システム構成、ネットワーク、および送信プロトコルに広く適用可能であるように意図されており、そのうちのいくつかは、図面および好ましい態様の以下の説明において、例として示される。詳細な説明および図面は、限定ではなく、本開示の単なる例示であり、本開示の範囲は、添付の特許請求の範囲およびそれらの同等物によって定義される。
実例的なワイヤレス通信システム
【００２０】
[0028]  本明細書に説明される技法は、直交多重化スキームに基づく通信システムを含む、様々なブロードバンドワイヤレス通信システムに使用され得る。このような通信システムの例は、空間分割多元接続（ＳＤＭＡ）、時分割多元接続（ＴＤＭＡ）、直交周波数分割多元接続（ＯＦＤＭＡ）システム、単一キャリア周波数分割多元接続（ＳＣ−ＦＤＭＡ）システム、等を含む。ＳＤＭＡシステムは、異なる方向を効率よく利用して、複数のユーザ端末に属するデータを同時に送信し得る。ＴＤＭＡシステムは、各タイムスロットに異なるユーザ端末が割り当てられている異なるタイムスロットに、送信信号を分割することにより、複数のユーザ端末に同一の周波数チャネルを共有させることを可能にし得る。ＯＦＤＭＡシステムは、システム帯域幅全体を複数の直交サブキャリアに分割する変調技法である、直交周波数分割多重（ＯＦＤＭ）を利用する。これらサブキャリアは、トーン、ビン、等とも呼ばれ得る。ＯＦＤＭでは、それぞれのサブキャリアはデータと共に独立して変調され得る。ＳＣ−ＦＤＭＡシステムは、システム帯域幅にわたって分散されたサブキャリア上で送信するためにインターリーブされたＦＤＭＡ（ＩＦＤＭＡ）を利用し、隣接サブキャリアのブロック上で送信するために局所化されたＦＤＭＡ（ＬＦＤＭＡ）を利用し、または、隣接サブキャリアの複数のブロック上で送信するためにエンハンスドＦＤＭＡ（ＥＦＤＭＡ）を利用し得る。一般に、変調シンボルは、ＯＦＤＭでは周波数領域で、およびＳＣ−ＦＤＭＡでは時間領域で、送られる。
【００２１】
[0029]  本明細書での教示は、様々なワイヤード装置またはワイヤレス装置（例えば、ノード）に組み込まれ得る（例えば、それらの中で実現される、またはそれらによって実行される）。いくつかの態様では、本明細書の教示に従って実現された無線ノードは、アクセスポイントまたはアクセス端末を備え得る。
【００２２】
[0030]  アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の専門用語を備え、これらとして実現され、または、これらとして知られ得る。
【００２３】
[0031]  アクセス端末（「ＡＴ」）は、加入者局、加入者ユニット、移動局（ＭＳ）、リモート局、リモート端末、ユーザ端末、ユーザエージェント、ユーザデバイス、ユーザ機器、ユーザ局、または何らかの他の専門用語を備え、これらとして実現され、または、これらとして知られ得る。いくつかの実現において、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、局（「ＳＴＡ」）、またはワイヤレスモデムに接続された何らかの他の適切な処理デバイスを備え得る。従って、本明細書で教示される１つ以上の態様は、電話（例えば、セルラ電話またはスマートフォン）、コンピュータ（例えば、ラップトップ）、タブレット、ポータブル通信デバイス、ポータブルコンピューティングデバイス（例えば、携帯情報端末）、エンターテイメントデバイス（例えば、音楽または映像デバイス、または衛星ラジオ）、全地球測位システム（ＧＰＳ）デバイス、または、ワイヤード媒体またはワイヤレス媒体を介して通信するように構成された任意の他の適切なデバイスに組み込まれ得る。いくつかの態様では、ノードは、ワイヤレスノードである。そのようなワイヤレスノードは、例えば、ワイヤードまたはワイヤレス通信リンクを介した、ネットワーク（例えば、インターネットまたはセルラネットワークのような広域ネットワーク）のための接続、またはネットワークまでの接続を提供し得る。
【００２４】
[0032]  図１は、アクセスポイントとユーザ端末とを有する多元接続多入力多出力（ＭＩＭＯ）システム１００を示す。簡潔にするために、図１には１つのアクセスポイント１１０のみ示されている。アクセスポイントは、概して、ユーザ端末と通信する固定局であり、基地局または何らかの他の専門用語でも称され得る。ユーザ端末は、固定または可動であることができ、移動局、ワイヤレスデバイス、または何らかの他の専門用語でも称され得る。アクセスポイント１１０は、ダウンリンクおよびアップリンク上で、任意の所与の瞬間に１つ以上のユーザ端末１２０と通信し得る。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアで通信し得る。システムコントローラ１３０は、アクセスポイントに結合し、アクセスポイントのための調整および制御を提供する。
【００２５】
[0033]  下記の開示の一部では、空間分割多元接続（ＳＤＭＡ）を介して通信することができるユーザ端末１２０が説明されるが、ある特定の態様では、ユーザ端末１２０はまた、ＳＤＭＡをサポートしない、いくつかのユーザ端末をも含み得る。従って、そのような態様では、ＡＰ１１０は、ＳＤＭＡユーザ端末と非ＳＤＭＡユーザ端末の両方と通信するように構成され得る。このアプローチは有利に、より新しいＳＤＭＡユーザ端末がふさわしいと判断され導入されることを可能にすると同時に、より古いバージョンのユーザ端末（「レガシー」局）の耐用年数を伸ばし、それらが事業展開され続けることを可能にし得る。
【００２６】
[0034]  システム１００では、ダウンリンクおよびアップリンク上でのデータ送信のために、複数の送信アンテナおよび複数の受信アンテナを用いる。アクセスポイント１１０は、Ｎａｐ個のアンテナを装備し、ダウンリンク送信のための多入力（ＭＩ）と、アップリンク送信のための多出力（ＭＯ）とを表す。選択されたＫ個のユーザ端末１２０のセットは、集合的にダウンリンク送信のための多出力と、アップリンク送信のための多入力とを表す。純粋なＳＤＭＡでは、Ｋ個のユーザ端末に対するデータシンボルストリームが何らかの手段によりコード、周波数、または、時間で多重化されていない場合、Ｎap≧Ｋ≧１を有することが望まれる。ＴＤＭＡ技法、ＣＤＭＡを用いた異なるコードチャネル、ＯＦＤＭを用いた互いに素なサブバンドのセット、等を使用して、データシンボルストリームが多重化されることができる場合、Ｋは、Ｎapよりも大きくあり得る。選択された各々のユーザ端末は、アクセスポイントにユーザ固有のデータを送信し、および／またはアクセスポイントからユーザ固有のデータを受信する。一般的に、選択された各々のユーザ端末は、１つまたは複数（すなわち、Ｎｕｔ≧１）のアンテナを装備し得る。選択されたＫ個のユーザ端末は、同一のまたは異なる数のアンテナを有することができる。
【００２７】
[0035]  ＳＤＭＡシステムは、時分割複信（ＴＤＤ）システムまたは周波数分割複信（ＦＤＤ）システムであり得る。ＴＤＤシステムでは、ダウンリンクとアップリンクが同一の周波数帯域を共有する。ＦＤＤシステムでは、ダウンリンクとアップリンクが異なる周波数帯域を使用する。ＭＩＭＯシステム１００はまた、送信のために、単一のキャリアまたは複数のキャリアを利用し得る。各々のユーザ端末には、（例えば、コストを低く抑えるために）単一のアンテナが、または（例えば、更なるコストがサポートされることができる場合には）複数のアンテナが装備され得る。ユーザ端末１２０が、各タイムスロットに異なるユーザ端末１２０に割り当てられている異なるタイムスロットに送信／受信を分割することで同一の周波数チャネルを共有する場合、システム１００は、ＴＤＭＡシステムでもあり得る。
【００２８】
[0036]  図２は、ＭＩＭＯシステム１００における、アクセスポイント１１０および２つのユーザ端末１２０ｍと１２０ｘのブロック図を示している。アクセスポイント１１０には、Ｎｔ個のアンテナ２２４ａ〜２２４ｔが装備されている。ユーザ端末１２０ｍには、Ｎｕｔ，ｍ個のアンテナ２５２ｍａ〜２５２ｍｕが装備されており、ユーザ端末１２０ｘには、Ｎｕｔ，ｘ個のアンテナ２５２ｘａ〜２５２ｘｕが装備されている。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される場合、「送信エンティティ」は、ワイヤレスチャネルを介してデータを送信することができる独立して動作する装置またはデバイスであり、「受信エンティティ」は、ワイヤレスチャネルを介してデータを受信することができる独立して動作する装置またはデバイスである。下記の説明では、下付きの文字「ｄｎ」はダウンリンクを表し、下付きの文字「ｕｐ」はアップリンクを表し、Ｎｕｐ個のユーザ端末が、アップリンク上での同時送信のために選択され、Ｎｄｎ個のユーザ端末が、ダウンリンク上での同時送信のために選択されるが、Ｎｕｐは、Ｎｄｎと等しいこともできるし、または等しくないこともでき、ＮｕｐとＮｄｎは、各スケジューリング間隔について、静的な値であることもできるし、または変化することもできる。ビームステアリングまたは何らかの他の空間処理技法が、アクセスポイントおよびユーザ端末において使用され得る。
【００２９】
[0037]  アップリンク上では、アップリンク送信のために選択された各ユーザ端末１２０において、送信（ＴＸ）データプロセッサ２８８が、データソース２８６からトラフィックデータを、コントローラ２８０から制御データを受信する。ＴＸデータプロセッサ２８８は、そのユーザ端末のために選択されたレートに関連付けられたコーディングおよび変調スキームに基づいて、そのユーザ端末のためのトラフィックデータを処理（例えば、符号化、インターリーブ、および変調）し、データシンボルストリームを提供する。ＴＸ空間プロセッサ２９０が、そのデータシンボルストリームに空間処理を実行し、Ｎｕｔ，ｍ個のアンテナのためのＮｕｔ，ｍ個の送信シンボルストリームを提供する。各送信機ユニット（ＴＭＴＲ）２５４が、それぞれの送信シンボルストリームを受信および処理（例えば、アナログ変換、増幅、フィルタリング、周波数アップコンバート）して、アップリンク信号を生成する。Ｎｕｔ，ｍ個の送信機ユニット２５４は、Ｎｕｔ，ｍ個のアンテナ２５２からアクセスポイントへと送信するための、Ｎｕｔ，ｍ個のアップリンク信号を提供する。
【００３０】
[0038]  Ｎｕｐ個のユーザ端末が、アップリンク上での同時送信のためにスケジューリングされ得る。これらのユーザ端末の各々は、そのデータシンボルストリームに空間処理を実行し、その送信シンボルストリームのセットを、アップリンク上でアクセスポイントに送信する。
【００３１】
[0039]  アクセスポイント１１０では、Ｎａｐ個のアンテナ２２４ａ〜２２４ａｐが、アップリンク上で送信するＮｕｐ個のユーザ端末すべてからのアップリンク信号を受信する。各アンテナ２２４は、受信した信号をそれぞれの受信機ユニット（ＲＣＶＲ）２２２に提供する。各受信機ユニット２２２は、送信機ユニット２５４によって実行された処理と補完的な処理を実行し、受信シンボルストリームを提供する。ＲＸ空間プロセッサ２４０は、Ｎａｐ個の受信機ユニット２２２からのＮａｐ個の受信シンボルストリームに受信機空間処理を実行し、復元されたＮｕｐ個のアップリンクデータシンボルストリームを提供する。受信機空間処理は、チャネル相関マトリクス反転（ＣＣＭＩ）、最小平均二乗誤差（ＭＭＳＥ）、ソフト干渉除去（ＳＩＣ）、または何らかの他の技法に従って実行される。復元された各々のアップリンクデータシンボルストリームは、それぞれのユーザ端末によって送信されたデータシンボルストリームの推定である。ＲＸデータプロセッサ２４２は、復元された各々のアップリンクデータシンボルストリームを、そのストリームに使用されたレートに従って処理（例えば、復調、デインターリーブ、復号）して、復号されたデータを取得する。各ユーザ端末のための復号されたデータが、記憶のためにデータシンク２４４に、および／または、更なる処理のためにコントローラ２３０に、提供され得る。
【００３２】
[0040]  ダウンリンク上では、アクセスポイント１１０において、ＴＸデータプロセッサ２１０が、データソース２０８から、下りリンク送信のためにスケジューリングされたＮｄｎ個のユーザ端末のためのトラフィックデータを受信し、コントローラ２３０から制御データを受信し、また場合によってはスケジューラ２３４から他のデータを受信する。様々なタイプのデータが、異なるトランスポートチャネル上で送られ得る。ＴＸデータプロセッサ２１０は、各ユーザ端末のためのトラフィックデータを、そのユーザ端末のために選択されたレートに基づいて処理（例えば、符号化、インターリーブ、および変調）する。ＴＸデータプロセッサ２１０は、Ｎｄｎ個のユーザ端末のための、Ｎｄｎ個のダウンリンクデータシンボルストリームを提供する。ＴＸ空間プロセッサ２２０は、Ｎｄｎ個のダウンリンクデータシンボルストリームに（本開示において説明されたようなプリコーディングまたはビームフォーミング）空間処理を実行し、Ｎａｐ個のアンテナにＮａｐ個の送信シンボルストリームを提供する。各送信機ユニット２２２は、それぞれの送信シンボルストリームを受信および処理して、ダウンリンク信号を生成する。Ｎａｐ個の送信機ユニット２２２は、Ｎａｐ個のアンテナ２２４からユーザ端末へと送信するための、Ｎａｐ個のダウンリンク信号を提供する。
【００３３】
[0041]  各ユーザ端末１２０において、Ｎｕｔ，ｍ個のアンテナ２５２は、アクセスポイント１１０から、Ｎａｐ個のダウンリンク信号を受信する。各受信機ユニット２５４は、関連付けられたアンテナ２５２からの受信信号を処理し、受信シンボルストリームを提供する。ＲＸ空間プロセッサ２６０が、Ｎｕｔ，ｍ個の受信機ユニット２５４からのＮｕｔ，ｍ個の受信シンボルストリームに受信機空間処理を実行し、そのユーザ端末のための復元されたダウンリンクデータシンボルストリームを提供する。受信機空間処理は、ＣＣＭＩ、ＭＭＳＥ、または何らかの他の技法に従って実行される。ＲＸデータプロセッサ２７０が、復元されたダウンリンクデータシンボルストリームを処理（例えば、復調、デインターリーブ、復号）して、そのユーザ端末のための復号されたデータを取得する。
【００３４】
[0042]  各ユーザ端末１２０において、チャネル推定器２７８は、ダウンリンクチャネル応答を推定し、ダウンリンクチャネル推定値を提供し、それは、チャネル利得推定値、ＳＮＲ推定値、雑音分散、等を含み得る。同様に、チャネル推定器２２８は、アップリンクチャネル応答を推定し、アップリンクチャネル推定値を提供する。各ユーザ端末のためのコントローラ２８０は、典型的に、ユーザ端末のための空間フィルタマトリクスを、そのユーザ端末のためのダウンリンクチャネル応答マトリクスＨｄｎ，ｍに基づいて導出する。コントローラ２３０は、アクセスポイントのための空間フィルタマトリクスを、有効アップリンクチャネル応答マトリクスＨｕｐ，ｅｆｆに基づいて導出する。各ユーザ端末のためのコントローラ２８０は、フィードバック情報（例えば、ダウンリンクおよび／またはアップリンク固有ベクトル、固有値、ＳＮＲ推定値、等）をアクセスポイントに送り得る。コントローラ２３０および２８０はまた、それぞれ、アクセスポイント１１０およびユーザ端末１２０における、様々な処理ユニットの動作を制御する。
【００３５】
[0043]  図３は、ＭＩＭＯシステム１００内で用いられ得るワイヤレスデバイス３０２において利用され得る様々なコンポーネントを示す。ワイヤレスデバイス３０２は、本明細書で説明される様々な方法を実現するように構成され得るデバイスの例である。ワイヤレスデバイス３０２は、アクセスポイント１１０またはユーザ端末１２０であり得る。
【００３６】
[0044]  ワイヤレスデバイス３０２は、ワイヤレスデバイス３０２の動作を制御するプロセッサ３０４を含み得る。プロセッサ３０４は、中央処理ユニット（ＣＰＵ）とも称され得る。読み取り専用メモリ（ＲＯＭ）とランダムアクセスメモリ（ＲＡＭ）の両方を含み得るメモリ３０６は、プロセッサ３０４に命令およびデータを提供する。メモリ３０６の一部はまた、不揮発性ランダムアクセスメモリ（ＮＶＲＡＭ）を含み得る。プロセッサ３０４は、メモリ３０６内に記憶されたプログラム命令に基づいて、論理および算術演算を典型的に実行する。メモリ３０６における命令は、本明細書で説明される方法を実現するように実行可能であり得る。
【００３７】
[0045]  ワイヤレスデバイス３０２はまた、ワイヤレスデバイス３０２とリモートロケーションとの間でのデータの送信および受信を可能にする、送信機３１０および受信機３１２を含み得る、ハウジング３０８を含み得る。送信機３１０および受信機３１２は、トランシーバ３１４に組み合わされ得る。単数のまたは複数の送信アンテナ３１６が、ハウジング３０８に取り付けられ、トランシーバ３１４に電気的に結合され得る。ワイヤレスデバイス３０２はまた、（示されていない）複数の送信機と、複数の受信機と、複数のトランシーバとを含み得る。
【００３８】
[0046]  ワイヤレスデバイス３０２はまた、トランシーバ３１４によって受信される信号のレベルを検出および定量化しようと試みる際に使用され得る信号検出器３１８を含み得る。信号検出器３１８は、このような信号を、総エネルギー、シンボル当たりのサブキャリア毎のエネルギー、電力スペクトル密度、および他の信号として検出し得る。ワイヤレスデバイス３０２はまた、信号を処理する際に使用するためのデジタルシグナルプロセッサ（ＤＳＰ）３２０を含み得る。
【００３９】
[0047]  ワイヤレスデバイス３０２の様々なコンポーネントは、バスシステム３２２によって共に結合されることができ、これは、データバスに加えて、電力バス、制御信号バス、およびステータス信号バスを含み得る。
実例的なビーコン（または他の送信時間間隔）インジケーションＴＷＴ
【００４０】
[0048]  上述したように、本開示の態様は、オーバーラップするビーコン送信時間間隔のスケジューリングを回避することで、他のデバイスからの干渉送信から、送信されたビーコンを保護するのに役立つ技法を提供する。いくつかの場合において、その技法は、電力消費を低減するために、ある特定の局がある特定の無線機能の電源を落とすことを可能にするターゲットウェイクアップ時間（ＴＷＴ：target wakeup times）を利用するシステムにおいて適用され得る。
【００４１】
[0049]  そのような場合において、局（ＳＴＡまたは他のタイプのワイヤレスデバイス）は、それがチャネルにアクセスすることができるＴＷＴ（ＴＷＴリクエスト）のためのリクエストをＡＰ（または他のタイプのワイヤレスデバイス）に送り得る。それに応じて、ＡＰは、ＴＷＴリクエストに対する応答（ＴＷＴ応答）を介して、ＳＴＡがチャネルにアクセスし始めることが許可される時間を示し得る。ＳＴＡは、ＴＷＴによって示される時間まである特定の無線機能を機能しない状態にし得る。その後、ＳＴＡは、チャネルにアクセスするために、それのＴＷＴにおいてウェイクアップし得る（かつ無線機能を可能にする）。
【００４２】
[0050]  ＴＷＴの使用は、ＳＴＡがデータを稀に送信または受信するという場合、および／または、ＳＴＡが少量のデータのみを送信または受信するという場合においては、特に有用であり得る。一例として、リレーを利用するシステムでは、リレーデバイスとして機能を果たす局は、ＴＷＴを要求し、それがサービス提供する１つ以上の局に送信するデータ（またはそれらから受信するデータ）を有するまでそれが電源を落とすことを可能にする。
【００４３】
[0051]  そのようなシステムでは、リレー局は、それのサービス範囲内で局にネットワークに関する情報を提供するためのビーコンフレーム（または単にビーコン）を送る必要があり得る。そのようなビーコンは、典型的に、ワイヤレスＬＡＮの存在を知らせるために（例えば、ＡＰまたはリレーによって）定期的に送信される。
【００４４】
[0052]  残念なことに、（送信が１つ以上の中間デバイスによってリレーされる）マルチホップシナリオでは、リレーのビーコンは、他のリレーからの送信から、または、それらの他のリレーによってサービス提供される局からの送信によって、保護されない可能性がある。これは、リレーが存在する場合、ある種の「隠されたノード」の問題と考えられることができ、それによってサービス提供された局は、親ノード（例えば、ＡＰ）には知られているが、他のリレーからは隠されている。これは、ビーコン遅延またはスケジューリングされたビーコン送信間隔と他のリレーのビーコンのオーバーラップを引き起こし得る。
【００４５】
[0053]  本開示の態様は、このシナリオを防ぐのに役立つ機構を提供する。いくつかの場合において、ワイヤレスデバイス（例えば、リレー）は、他のデバイスによる送信媒体（チャネル）へのアクセスが制限される送信間隔のインジケーション（例えば、ビーコン送信間隔）を別のワイヤレスデバイス（例えば、リレーの親ノード）に提供し、親ノードが、ある特定のデバイスが媒体上での送信を制限される、制限されたアクセスウィンドウ（ＲＡＷ）と通常称されるものを確立することを基本的に要求する。
【００４６】
[0054]  一例として、リレー局は、リレーのビーコン間隔のＴＷＴリクエストにおけるインジケーションを提供し得る。いくつかの場合において、アソシエーションに応じて、リレーは、それの親ノード（例えば、ＡＰまたは他のリレー）にそれのビーコンについて知らせるためにインジケーションと共にＴＷＴリクエストを送り得る。それに応じて、親ノードは、他のリレーまたはそれらに関連付けられたＳＴＡによる送信から、要求しているリレーの送信間隔を保護するための制限されたアクセスウィンドウ（ＲＡＷ）を確立するために、ネットワークにおいてこの情報を伝搬し得る。いくつかの場合において、親ノードは、この情報を使用して、衝突を回避する形で他のリレーの送信をスケジューリングし得る。
【００４７】
[0055]  いくつかの場合において、ＴＷＴリクエストの既存の定義は、対応する時間がビーコン送信のため（だけ）のものであることを示すように修正され得る。このため、ＴＷＴリクエストの既存の定義における１つ以上のフィールドは、最適化のために除去され得る。いくつかの場合において、（ＴＷＴリクエストはビーコン送信のためのものであるという）インジケーションは、ＴＷＴ制御フレーム内の１つ以上のビットによって提供され得る。これは、ＴＷＴがビーコン送信のためのものであるので、親ノードはＴＷＴリクエストを許可し、要求されたＲＡＷを確立すべきであるという強力なインジケーションとしての役割を果たし得る。
【００４８】
[0056]  図４は、本開示の態様に従って、保護されるべき送信間隔を示す実例的な動作４００のブロック図である。動作４００は、リレーまたは他のタイプのワイヤレスデバイスのような装置によって実行され得る。
【００４９】
[0057]  ４０２において、装置は、送信間隔を識別する。例えば、装置は、装置からの送信が他のワイヤレスデバイス（例えば、他のリレーまたはそれらリレーがサービス提供する局）からの送信から保護される必要があり得るビーコン送信間隔のような、送信時間間隔を識別し得る。
【００５０】
[0058]  ４０４において、装置は、親ノードが送信間隔の間にネットワークトラフィックを制限するための制限されたアクセスウィンドウ（ＲＡＷ）を確立するためのリクエストを送信する。
【００５１】
[0059]  図５は、本開示の態様に従って、リレーの送信間隔を保護するためのＲＡＷを確立する実例的な動作５００のブロック図である。動作５００は、アクセスポイントまたは他のタイプのワイヤレスデバイス（例えば、別のタイプの親ノードまたはＲＡＷを要求しているリレー）のような装置によって実行され得る。
【００５２】
[0060]  ５０２において、装置は、第１のワイヤレスデバイスの送信間隔の間にネットワークトラフィックを制限するための制限されたアクセスウィンドウ（ＲＡＷ）を確立するためのリクエストを第１のワイヤレスデバイスから受信する。５０４において、装置は、ＲＡＷのインジケーションを少なくとも第２のワイヤレスデバイスにシグナリングする。
【００５３】
[0061]  上述したように、いくつかの場合において、リレーは、ターゲットウェイクアップタイム（ＴＷＴ）リクエストを介してＲＡＷリクエストをシグナリングし得る。そのようなＴＷＴリクエストは、親ノードが送信間隔の間にネットワークトラフィックを制限するためのＲＡＷを確立するためのリクエストをＴＷＴリクエストがシグナリングすることを示す少なくとも１つのビットを含み得る。親ノードは、リクエストが許可されたかどうかを示す少なくとも１つのビットを含むＴＷＴリクエストに対する応答を送り得る。
【００５４】
[0062]  このため、リレーは、例えば、ＲＡＷリクエストが許可されたと仮定して、あるいは上述したようにリクエストが許可されたと親ノードが明示的にシグナリングした場合、ビーコンは保護されているといういくつかの確信を持って送信間隔の間にビーコンを送信し得る。
【００５５】
[0063]  いくつかの場合において、リレーデバイスは、送信が送信間隔と潜在的にオーバーラップするワイヤレスデバイスにサービス提供している少なくとも１つのリレーを（例えば、ネットワークリスニング（network listening）によって）識別し得る。そのような場合では、リレーデバイスは、（例えば、ＭＡＣ ＩＤを介して）リクエストと共に少なくとも１つのリレーの（明示的な）インジケーションを提供し得る。
【００５６】
[0064]  従って、親ノードは、（例えば、ＲＡＷを要求しているリレーがＲＡＷの間にチャネルにアクセスすることを許可されたと示すビーコン送信を介して）ＲＡＷのインジケーションを受信する識別されたリレーを確保するための処置をとり得る。親ノードはまた、ＲＡＷリクエストにおいて受信された情報を使用して、衝突を回避する形で、潜在的な干渉リレーおよび要求しているリレーの送信時間をスケジューリングし得る。
【００５７】
[0065]  図６は、本開示の態様に従って、ＲＡＷを要求している第１のリレー（リレー１ ６０２）と親ノード（ＡＰ６０４）との間の実例的なメッセージの交換を示す。
【００５８】
[0066]  示された例において、リレー１ ６０２は、送信間隔を保護するために、ＡＰ６０４にＲＡＷのリクエストを送る。示されるように、ＡＰ６０４は、リレー１ ６０２に応答を送り、また、例えば、ＲＡＷリクエストにおけるリレー１ ６０２によって示された送信間隔の間に、第２のリレーデバイス（リレー２ ６０６）またはそれによってサービス提供された局の送信をサイレンスにするために、ＲＡＷを確立する。
【００５９】
[0067]  図７に示されるように、リレー１ ６０２によって送られたＲＡＷリクエストは、（例えば、ビーコン送信を保護するために）ＲＡＷリクエストを伝達するＴＷＴリクエストを示す１つ以上のビットを有し得る。それに応じて、ＡＰ６０４は、ＲＡＷリクエストが許可されたと示す１つ以上のビットを有するＴＷＴ応答を送る。この例では、ＴＷＴリクエストはリレー２ ６０６を明示的に識別するため、ＡＰ６０４は、ＴＷＴリクエストにおけるリレー１ ６０２によって識別されたＴｘ間隔の間にリレー２ ６０６（およびそれによってサービス提供された局）をサイレンスにするためにＲＡＷを確立する。
【００６０】
[0068]  上述した方法の様々な動作は、対応する機能を実行することができる任意の適切な手段によって実行され得る。手段は、回路、特定用途向け集積回路（ＡＳＩＣ）、またはプロセッサを含むが、これらに限定されない様々なハードウェアおよび／またはソフトウェアのコンポーネント（単数または複数）および／またはモジュール（単数または複数）を含み得る。一般的に、動作が図中に示されている場合、それらの動作は、同様の参照番号を付した、対応する対照のミーンズプラスファンクションコンポーネントを有し得る。例えば、図４および５に示された動作４００および５００は、それぞれ、図４Ａおよび５Ａに示された手段４００Ａおよび５００Ａに対応する。
【００６１】
[0069]  例えば、送信およびシグナリングするための手段は、図２に示した、アクセスポイント１１０の送信機（例えば、送信機ユニット２２２）および／または（単数または複数の）アンテナ２２４、または、図３に示した、送信機３１０および／または（単数または複数の）アンテナ３１６を備え得る。受信するための手段は、図２に示した、アクセスポイント１１０の受信機（例えば、受信機ユニット２２２）および／または（単数または複数の）アンテナ２２４、または、図３に示した、受信機３１２および／または（単数または複数の）アンテナ３１６を備え得る。処理するための手段、識別するための手段、受信するための手段、および／またはシグナリングするための手段は、処理システムを備えることができ、この処理システムは、図２に示した、アクセスポイント１１０のＲＸデータプロセッサ２４２、ＴＸデータプロセッサ２１０、および／またはコントローラ２３０、または、図３に描写した、プロセッサ３０４および／またはＤＳＰ３２０のような、１つ以上のプロセッサを含み得る。
【００６２】
[0070]  さらに、いくつかの場合において、リクエストまたは応答（または他のタイプの送信）を実際に送信するのではなく、エンティティ（例えば、プロセッサ）が、送信のために別のエンティティ（例えば、ＲＦフロントエンドまたはモデム）に送信インターフェースを介してそのようなメッセージを出力し得る。同様に、リクエストまたは応答（または他のタイプの送信）を実際に受信するのではなく、エンティティ（例えば、プロセッサ）が、受信インターフェースを介して別のエンティティから（例えば、ＲＦフロントエンドまたはモデムから）そのようなメッセージを受信し得る。例えば、受信インターフェースは、バスインターフェースまたは他のタイプのインターフェースを含み得る。
【００６３】
[0071]  本明細書で使用される場合、「決定すること」という用語は、幅広い動作を包含する。例えば、「決定すること」は、算出すること（calculating）、計算すること（computing）、処理すること（processing）、導出すること（deriving）、調査すること（investigating）、ルックアップすること（looking up）（例えば、表、データベース、または別のデータ構造をルックアップすること）、確定すること（ascertaining）、等を含み得る。また、「決定すること」は、受信すること（例えば、情報を受信すること）、アクセスすること（例えば、メモリ内のデータにアクセスすること）、等を含み得る。また、「決定すること」は、解決すること、選択すること、選ぶこと、確立すること、等を含み得る。
【００６４】
[0072]  本明細書で使用される場合、項目のリスト「のうちの少なくとも１つ」というフレーズは、単一の要素を含む、それらのアイテムの任意の組み合わせに関連する。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００６５】
[0073]  本開示に関連して説明された、様々な例示的な論理ブロック、モジュール、および回路は、本明細書において説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、離散ゲートまたはトランジスタ論理、離散ハードウェアコンポーネント、またはそれらの任意の組み合わせを用いて、実現または実行され得る。汎用プロセッサは、マイクロプロセッサであり得るが、代替として、このプロセッサは、任意の商業的に利用可能なプロセッサ、コントローラ、マイクロコントローラ、またはステートマシン（state machine）であり得る。プロセッサはまた、コンピューティングデバイスの組み合わせ、例えば、ＤＳＰとマイクロプロセッサの組み合わせ、複数のマイクロプロセッサ、ＤＳＰコアと連携した１つ以上のマイクロプロセッサ、あるいは任意の他のそのような構成として実現され得る。
【００６６】
[0074]  本開示に関連して説明された方法またはアルゴリズムのステップは、ハードウェアで直接的に、またはプロセッサによって実行されるソフトウェアモジュールで、または両者の組み合わせで、具現化され得る。ソフトウェアモジュールは、当該技術で知られている任意の形態の記憶媒体中に存在し得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ、等を含む。ソフトウェアモジュールは、単一の命令、または多くの命令を備え、いくつかの異なるコードセグメントにわたって、異なるプログラム間で、および複数の記憶媒体にわたって、分散され得る。記憶媒体は、プロセッサが記憶媒体から情報を読み取り、記憶媒体に情報を書き込むことができるように、プロセッサに結合され得る。代替において、記憶媒体はプロセッサに一体化され得る。
【００６７】
[0075]  本明細書で開示される方法は、説明された方法を達成するための１つ以上のステップまたは動作を備える。方法のステップおよび／または動作は、特許請求の範囲から逸脱することなく互いに置き換えられ得る。言い換えれば、ステップまたは動作の特定の順序が明記されない限り、特定のステップおよび／または動作の順序および／または使用は、特許請求の範囲から逸脱することなく修正され得る。
【００６８】
[0076]  説明された機能は、ハードウェア、ソフトウェア、ファームウェア、またはこれらの任意の組み合わせで実現され得る。ハードウェアにおいて実現される場合、実例的なハードウェア構成は、ワイヤレスノードにおける処理システムを備え得る。処理システムは、バスアーキテクチャを用いて実現され得る。バスは、処理システムの特定の用途と全体的な設計の制約に依存して、任意の数の相互接続バスおよびブリッジを含み得る。バスは、プロセッサ、機械読取可能な媒体、およびバスインターフェースを含む様々な回路を共にリンクさせ得る。バスインターフェースは、特に、ネットワークアダプタを、バスを介して処理システムに接続するために使用され得る。ネットワークアダプタは、ＰＨＹ層の信号処理機能を実現するために使用され得る。アクセス端末１２０（図１を参照）の場合、ユーザインタフェース（例えば、キーパッド、ディスプレイ、マウス、ジョイスティック、等）もまた、バスに接続され得る。バスはまた、タイミングソース、周辺機器、電圧レギュレータ、電力管理回路、および同様なもののような様々な他の回路をリンクさせ得るが、それらは当該技術分野において周知であるため、これ以上は説明されない。
【００６９】
[0077]  プロセッサは、バスの管理と、機械読取可能な媒体に記憶されたソフトウェアの実行を含む汎用処理と、を担うことができる。プロセッサは、１つ以上の汎用および／または特殊用途プロセッサを用いて実現され得る。例は、ソフトウェアを実行することができるマイクロプロセッサ、マイクロコントローラ、ＤＳＰプロセッサ、および他の回路を含む。ソフトウェアは、ソフトウェア、ファームウェア、ミドルウェア、マイクロコード、ハードウェア記述言語と称される場合も、その他の名称で称される場合も、命令、データ、またはそれらの任意の組み合わせを意味するものとして広く解釈されるべきである。機械読取可能な媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（電気的に消去可能なプログラマブル読取専用メモリ）、レジスタ、磁気ディスク、光ディスク、ハードドライブ、または任意の他の適切な記憶媒体、またはそれらの任意の組み合わせを含み得る。機械読取可能な媒体は、コンピュータプログラム製品に組み込まれ得る。コンピュータプログラム製品は、パッケージ材料を備え得る。
【００７０】
[0078]  ハードウェアの実現では、機械読取可能な媒体は、プロセッサとは別個の処理システムの一部であり得る。しかしながら、当業者によって容易に理解されるように、機械読取可能な媒体、またはそのうちの任意の部分は、処理システムの外部にあり得る。例として、機械読取可能な媒体は、伝送回線、データによって変調された搬送波、および／またはワイヤレスノードとは別個のコンピュータ製品を含み得るが、それらはすべてバスインターフェースを介してプロセッサによりアクセスされ得る。あるいは、またはさらに、機械読取可能な媒体、またはそのうちの任意の部分は、キャッシュおよび／または汎用レジスタファイルが用いられ得るような場合、プロセッサに組み込まれ得る。
【００７１】
[0079]  処理システムは、プロセッサの機能を提供する１つ以上のマイクロプロセッサと、機械読取可能な媒体の少なくとも一部を提供する外部メモリとを有し、すべてが外部バスアーキテクチャを通して他のサポート回路と共にリンクされている、汎用処理システムとして構成され得る。あるいは、処理システムは、本開示全体を通して説明された様々な機能を実行することができる、単一のチップに組み込まれた、プロセッサと、バスインターフェースと、ユーザインターフェース（アクセス端末の場合）と、サポート回路と、機械読取可能な媒体の少なくとも一部と、を有するＡＳＩＣ（特定用途向け集積回路）を用いて、または、１つ以上のＦＰＧＡ（フィールドプログラマブルゲートアレイ）、ＰＬＤ（プログラマブル論理デバイス）、コントローラ、ステートマシン、ゲート制御された論理、離散ハードウェアコンポーネント、または任意の他の適切な回路、または任意の回路の組み合わせを用いて、実現され得る。当業者は、システム全体に課された特定の用途および全体的な設計の制約に依存して、処理システムについて説明された機能をどのように実現することが最善かを認識するだろう。
【００７２】
[0080]  機械読取可能な媒体は、多数のソフトウェアモジュールを備え得る。ソフトウェアモジュールは、プロセッサによって実行された場合、様々な機能を処理システムに実行させる命令を含む。ソフトウェアモジュールは、送信モジュールと受信モジュールとを含み得る。各ソフトウェアモジュールは、単一の記憶デバイスに存在することも、複数の記憶デバイスにわたって分散させることもできる。例として、ソフトウェアモジュールは、トリガイベントが生じた場合にハードドライブからＲＡＭにロードされ得る。ソフトウェアモジュールの実行中、プロセッサは、命令のうちのいくつかをキャッシュにロードして、アクセススピードを上げることができる。そして、１つ以上のキャッシュラインが、プロセッサによる実行のために、汎用レジスタファイルにロードされ得る。下記においてソフトウェアモジュールの機能について言及する場合、そのような機能は、ソフトウェアモジュールから命令が実行されると、プロセッサによって実現されるということが理解されるであろう。
【００７３】
[0081]  ソフトウェア内で実現される場合、機能は、コンピュータ可読媒体上の１つ以上の命令またはコードとして記憶または送信され得る。コンピュータ可読媒体は、１つの場所から別の場所へのコンピュータプログラムの転送を容易にする任意の媒体を含むコンピュータ記憶媒体と通信媒体の両方を含む。記憶媒体は、コンピュータによってアクセスされることができる利用可能な任意の媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形態で所望のプログラムコードを記憶または搬送するために使用可能であり、かつコンピュータによってアクセスされることができる、任意の他の媒体を備え得る。また、任意の接続は、厳密にはコンピュータ可読媒体と呼ばれる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）およびブルーレイ（登録商標）ディスク（disc）を含み、ここでディスク（disk）は通常、磁気的にデータを再生し、一方ディスク（disc）は、レーザーを用いて光学的にデータを再生する。
【００７４】
[0082]  従って、いくつかの態様において、コンピュータ読取可能な媒体は、非一時的なコンピュータ読取可能な媒体（例えば、有形的媒体）を備え得る。さらに、他の態様では、コンピュータ読取可能な媒体は、一時的なコンピュータ読取可能な媒体（例えば、信号）を備え得る。上記の組み合わせもまた、コンピュータ可読媒体の範囲内に含まれるべきである。従って、ある特定の態様は、本明細書で提示された動作を実行するためのコンピュータプログラム製品を備え得る。例えば、そのようなコンピュータプログラム製品は、その上に命令が記憶（および／または符号化）されたコンピュータ可読媒体を備えることができ、命令は、本明細書で説明された動作を実行するために１つ以上のプロセッサによって実行可能である。ある特定の態様では、コンピュータプログラム製品は、パッケージ材料を含み得る。
【００７５】
[0083]  さらに、本明細書で説明された方法および技法を実行するためのモジュールおよび／または他の適切な手段は、適宜、ユーザ端末および／または基地局によって、ダウンロードされるおよび／または、そうでなければ、取得され得ることが理解されるべきである。例えば、そのようなデバイスは、本明細書で説明された方法を実行するための手段の転送を容易にするためにサーバに結合されることができる。代替として、本明細書で説明された様々な方法は、ユーザ端末および／または基地局が、デバイスに記憶手段を結合または提供する際に様々な方法を取得することができるように、記憶手段（例えば、ＲＡＭ、ＲＯＭ、コンパクトディスク（ＣＤ）またはフロッピーディスクのような物理記憶媒体、等）を介して提供されることができる。さらに、本明細書で説明された方法および技法をデバイスに提供するための任意の他の適切な技法が、利用され得る。
【００７６】
[0084]  特許請求の範囲は、上に示したとおりの構成およびコンポーネントに限定されないことが理解されるべきである。様々な修正、変更、および変形は、特許請求の範囲から逸脱することなく、上述した方法および装置の配置、動作および詳細において行われ得る。
【図１】
2016521089.tif 000003
【図２】
2016521089.tif 000004
【図３】
2016521089.tif 000005
【図４】
2016521089.tif 000006
【図４Ａ】
2016521089.tif 000007
【図５】
2016521089.tif 000008
【図５Ａ】
2016521089.tif 000009
【図６】
2016521089.tif 000010
【図７】
2016521089.tif 000011
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、前記装置はワイヤレスノードにワイヤレス通信可能に結合され、
送信間隔を識別するように構成された処理システムと、
前記ワイヤレスノードにターゲットウェイクアップ時間、すなわちＴＷＴ、のリクエストを送信するように構成される送信機と
を備え、前記ＴＷＴは、前記送信間隔の始まりであり、前記ＴＷＴの前記リクエストは、前記ワイヤレスノードが前記送信間隔の間にネットワークトラフィックを制限するための制限されたアクセスウィンドウ、すなわちＲＡＷ、を確立するためのリクエストを備える、装置。
【請求項２】
前記ＴＷＴリクエストは、前記ＲＡＷを確立するためのリクエストを示す少なくとも１つのビットを備える、請求項１に記載の装置。
【請求項３】
前記ＴＷＴリクエストに対する応答を受信するように構成された受信機をさらに備え、前記応答は、前記リクエストが許可されたかどうかを示す少なくとも１つのビットを備える、請求項２に記載の装置。
【請求項４】
前記送信機は、前記送信間隔の間にビーコンを送信するようにさらに構成される、請求項１に記載の装置。
【請求項５】
前記処理システムは、送信が前記送信間隔とオーバーラップする少なくとも１つのワイヤレスデバイスを識別するように構成される、請求項１に記載の装置。
【請求項６】
前記送信機は、前記リクエストと共に前記少なくとも１つのワイヤレスデバイスにインジケーションを提供するように構成される、請求項５に記載の装置。
【請求項７】
前記インジケーションは、少なくとも１つのＭＡＣ ＩＤを備える、請求項６に記載の装置。
【請求項８】
ワイヤレス通信のための装置であって、
第１のワイヤレスデバイスからターゲットウェイクアップ時間、すなわちＴＷＴ、のリクエストを受信するように構成された受信機と、ここで、前記ＴＷＴは、前記第１のワイヤレスデバイスの送信間隔の始まりであり、前記ＴＷＴの前記リクエストは、前記第１のワイヤレスデバイスの前記送信間隔の間にネットワークトラフィックを制限するための制限されたアクセスウィンドウ、すなわちＲＡＷ、を確立するためのリクエストを備える、
前記ＲＡＷのインジケーションを送信するように構成された送信機と
を備える、装置。
【請求項９】
前記ＴＷＴリクエストは、前記装置が前記送信間隔の間にネットワークトラフィックを制限するための前記ＲＡＷを確立するための前記リクエストを前記ＴＷＴリクエストがシグナリングすることを示す少なくとも１つのビットを備える、請求項８に記載の装置。
【請求項１０】
前記送信機は、前記第１のワイヤレスデバイスを、前記ＲＡＷの間に送信することが許可されたものとして識別するようにさらに構成される、請求項８に記載の装置。
【請求項１１】
前記リクエストは、少なくとも前記第２のワイヤレスデバイスのインジケーションを含む、請求項８に記載の装置。
【請求項１２】
前記インジケーションは、少なくとも１つのＭＡＣ ＩＤを備える、請求項１１に記載の装置。
【請求項１３】
送信が前記第１のワイヤレスデバイスの前記送信間隔と潜在的にオーバーラップする他のワイヤレスデバイスにサービス提供している１つ以上のワイヤレスデバイスを識別するように構成された処理システムをさらに備える、請求項８に記載の装置。
【請求項１４】
装置によるワイヤレス通信のための方法であって、前記装置はワイヤレスノードにワイヤレス通信可能に結合され、
送信間隔を識別することと、
前記ワイヤレスノードにターゲットウェイクアップ時間、すなわちＴＷＴ、のリクエストを送信することと
を備え、前記ＴＷＴは、前記送信間隔の始まりであり、前記ＴＷＴの前記リクエストは、前記ワイヤレスノードが前記送信間隔の間にネットワークトラフィックを制限するための制限されたアクセスウィンドウ、すなわちＲＡＷ、を確立するためのリクエストを備える、方法。
【請求項１５】
前記ＴＷＴリクエストは、前記ＲＡＷを確立するためのリクエストを示す少なくとも１つのビットを備える、請求項１４に記載の方法。
【請求項１６】
前記ＴＷＴリクエストに対する応答を受信することをさらに備え、前記応答は、前記リクエストが許可されたかどうかを示す少なくとも１つのビットを備える、請求項１５に記載の方法。
【請求項１７】
前記送信することは、前記送信間隔の間にビーコンを送信することを備える、請求項１４に記載の方法。
【請求項１８】
前記識別することは、送信が前記送信間隔とオーバーラップする少なくとも１つのワイヤレスデバイスを識別することを備える、請求項１４に記載の方法。
【請求項１９】
前記送信することは、前記リクエストと共に前記少なくとも１つのワイヤレスデバイスにインジケーションを提供することを備える、請求項１８に記載の方法。
【請求項２０】
前記インジケーションは、少なくとも１つのＭＡＣ ＩＤを備える、請求項１９に記載の方法。
【請求項２１】
装置によるワイヤレス通信のための方法であって、
第１のワイヤレスデバイスからターゲットウェイクアップ時間、すなわちＴＷＴ、のリクエストを受信することと、ここで、前記ＴＷＴは、前記第１のワイヤレスデバイスの送信間隔の始まりであり、前記ＴＷＴの前記リクエストは、前記第１のワイヤレスデバイスの送信間隔の間にネットワークトラフィックを制限するための制限されたアクセスウィンドウ、すなわちＲＡＷ、を確立するためのリクエストを備える、
前記ＲＡＷのインジケーションをシグナリングすることと
を備える、方法。
【請求項２２】
前記ＴＷＴリクエストは、前記装置が前記送信間隔の間にネットワークトラフィックを制限するための前記ＲＡＷを確立するための前記リクエストを前記ＴＷＴリクエストがシグナリングすることを示す少なくとも１つのビットを備える、請求項２１に記載の方法。
【請求項２３】
前記送信することは、前記第１のワイヤレスデバイスを、前記ＲＡＷの間に送信することが許可されたものとして識別することを備える、請求項２１に記載の方法。
【請求項２４】
前記リクエストは、少なくとも前記第２のワイヤレスデバイスのインジケーションを含む、請求項２１に記載の方法。
【請求項２５】
前記インジケーションは、少なくとも１つのＭＡＣ ＩＤを備える、請求項２４に記載の方法。
【請求項２６】
送信が前記第１のワイヤレスデバイスの前記送信間隔と潜在的にオーバーラップする他のワイヤレスデバイスにサービス提供している１つ以上のワイヤレスデバイスを識別することをさらに備える、請求項２１に記載の方法。
【請求項２７】
請求項１４乃至２０、または２１乃至２６のいずれか１項に記載のステップを実行するように１つ以上のプロセッサによって実行可能な命令を記憶したコンピュータ可読媒体を備える、コンピュータプログラム製品。
【手続補正２】
【補正対象書類名】明細書
【補正対象項目名】００７６
【補正方法】変更
【補正の内容】
【００７６】
[0084]  特許請求の範囲は、上に示したとおりの構成およびコンポーネントに限定されないことが理解されるべきである。様々な修正、変更、および変形は、特許請求の範囲から逸脱することなく、上述した方法および装置の配置、動作および詳細において行われ得る。
以下に、出願当初の特許請求の範囲に記載された発明を付記する。
［Ｃ１］
ワイヤレス通信のための装置であって、前記装置はワイヤレスノードにワイヤレス通信可能に結合され、
送信間隔を識別するように構成された処理システムと、
前記送信間隔の間にネットワークトラフィックを制限するための制限されたアクセスウィンドウ（ＲＡＷ）を確立するよう前記ワイヤレスノードに要求するリクエストを送信するように構成される送信機と
を備える、装置。
［Ｃ２］
前記リクエストは、ターゲットウェイクアップ時間（ＴＷＴ）リクエストを備える、Ｃ１に記載の装置。
［Ｃ３］
前記ＴＷＴリクエストは、ＲＡＷを確立するためのリクエストを示す少なくとも１つのビットを備える、Ｃ２に記載の装置。
［Ｃ４］
前記ＴＷＴリクエストに対する応答を受信するように構成された受信機をさらに備え、前記応答は、前記リクエストが許可されたかどうかを示す少なくとも１つのビットを備える、Ｃ３に記載の装置。
［Ｃ５］
前記送信機は、前記送信間隔の間にビーコンを送信するようにさらに構成される、Ｃ１に記載の装置。
［Ｃ６］
前記処理システムは、送信が前記送信間隔とオーバーラップする少なくとも１つのワイヤレスデバイスを識別するように構成される、Ｃ１に記載の装置。
［Ｃ７］
前記送信機は、前記リクエストと共に前記少なくとも１つのワイヤレスデバイスにインジケーションを提供するように構成される、Ｃ６に記載の装置。
［Ｃ８］
前記インジケーションは、少なくとも１つのＭＡＣ ＩＤを備える、Ｃ７に記載の装置。
［Ｃ９］
ワイヤレス通信のための装置であって、
第１のワイヤレスデバイスの送信間隔の間にネットワークトラフィックを制限するための制限されたアクセスウィンドウ（ＲＡＷ）を確立するためのリクエストを前記第１のワイヤレスデバイスから受信するように構成された受信機と、
前記ＲＡＷのインジケーションを少なくとも第２のワイヤレスデバイスに送信するように構成された送信機と
を備える、装置。
［Ｃ１０］
前記リクエストは、ターゲットウェイクアップ時間（ＴＷＴ）リクエストを介して受信される、Ｃ９に記載の装置。
［Ｃ１１］
前記ＴＷＴリクエストは、前記装置が前記送信間隔の間にネットワークトラフィックを制限するための前記ＲＡＷを確立するためのリクエストを前記ＴＷＴリクエストがシグナリングすることを示す少なくとも１つのビットを備える、Ｃ１０に記載の装置。
［Ｃ１２］
前記送信機は、前記第１のワイヤレスデバイスを、前記ＲＡＷの間に送信することが許可されたものとして識別するようにさらに構成される、Ｃ９に記載の装置。
［Ｃ１３］
前記リクエストは、少なくとも前記第２のワイヤレスデバイスのインジケーションを含む、Ｃ９に記載の装置。
［Ｃ１４］
前記インジケーションは、少なくとも１つのＭＡＣ ＩＤを備える、Ｃ１３に記載の装置。
［Ｃ１５］
送信が前記第１のワイヤレスデバイスの前記送信間隔と潜在的にオーバーラップする他のワイヤレスデバイスにサービス提供している１つ以上のワイヤレスデバイスを識別するように構成された処理システムをさらに備える、Ｃ９に記載の装置。
［Ｃ１６］
装置によるワイヤレス通信のための方法であって、前記装置はワイヤレスノードにワイヤレス通信可能に結合され、
送信間隔を識別することと、
前記送信間隔の間にネットワークトラフィックを制限するための制限されたアクセスウィンドウ（ＲＡＷ）を確立するよう前記ワイヤレスノードに要求するリクエストを送信することと
を備える、方法。
［Ｃ１７］
前記リクエストは、ターゲットウェイクアップ時間（ＴＷＴ）リクエストを備える、Ｃ１６に記載の方法。
［Ｃ１８］
前記ＴＷＴリクエストは、ＲＡＷを確立するためのリクエストを示す少なくとも１つのビットを備える、Ｃ１７に記載の方法。
［Ｃ１９］
前記ＴＷＴリクエストに対する応答を受信することをさらに備え、前記応答は、前記リクエストが許可されたかどうかを示す少なくとも１つのビットを備える、Ｃ１８に記載の方法。
［Ｃ２０］
前記送信することは、前記送信間隔の間にビーコンを送信することを備える、Ｃ１６に記載の方法。
［Ｃ２１］
前記識別することは、送信が前記送信間隔とオーバーラップする少なくとも１つのワイヤレスデバイスを識別することを備える、Ｃ１６に記載の方法。
［Ｃ２２］
前記送信することは、前記リクエストと共に前記少なくとも１つのワイヤレスデバイスにインジケーションを提供することを備える、Ｃ２１に記載の方法。
［Ｃ２３］
前記インジケーションは、少なくとも１つのＭＡＣ ＩＤを備える、Ｃ２２に記載の方法。
［Ｃ２４］
装置によるワイヤレス通信のための方法であって、
第１のワイヤレスデバイスの送信間隔の間にネットワークトラフィックを制限するための制限されたアクセスウィンドウ（ＲＡＷ）を確立するためのリクエストを前記第１のワイヤレスデバイスから受信することと、
前記ＲＡＷのインジケーションを少なくとも第２のワイヤレスデバイスにシグナリングすることと
を備える、方法。
［Ｃ２５］
前記リクエストは、ターゲットウェイクアップ時間（ＴＷＴ）リクエストを介して受信される、Ｃ２４に記載の方法。
［Ｃ２６］
前記ＴＷＴリクエストは、前記装置が前記送信間隔の間にネットワークトラフィックを制限するための前記ＲＡＷを確立するためのリクエストを前記ＴＷＴリクエストがシグナリングすることを示す少なくとも１つのビットを備える、Ｃ２５に記載の方法。
［Ｃ２７］
前記送信することは、前記第１のワイヤレスデバイスを、前記ＲＡＷの間に送信することが許可されたものとして識別することを備える、Ｃ２４に記載の方法。
［Ｃ２８］
前記リクエストは、少なくとも前記第２のワイヤレスデバイスのインジケーションを含む、Ｃ２４に記載の方法。
［Ｃ２９］
前記インジケーションは、少なくとも１つのＭＡＣ ＩＤを備える、Ｃ２８に記載の方法。
［Ｃ３０］
送信が前記第１のワイヤレスデバイスの前記送信間隔と潜在的にオーバーラップする他のワイヤレスデバイスにサービス提供している１つ以上のワイヤレスデバイスを識別することをさらに備える、Ｃ２４に記載の方法。
【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、前記装置はワイヤレスノードにワイヤレス通信可能に結合され、
送信間隔を識別するように構成された処理システムと、
前記ワイヤレスノードにターゲットウェイクアップ時間、すなわちＴＷＴ、のリクエストを送信するように構成される送信機と
を備え、前記ＴＷＴの前記リクエストは、前記ワイヤレスノードが前記送信間隔の間にネットワークトラフィックを制限するための制限されたアクセスウィンドウ、すなわちＲＡＷ、を確立するためのリクエストを備える、装置。
【請求項２】
前記ＴＷＴリクエストは、前記ＲＡＷを確立するためのリクエストを示す少なくとも１つのビットを備える、請求項１に記載の装置。
【請求項３】
前記ＴＷＴリクエストに対する応答を受信するように構成された受信機をさらに備え、前記応答は、前記リクエストが許可されたかどうかを示す少なくとも１つのビットを備える、請求項２に記載の装置。
【請求項４】
前記送信機は、前記送信間隔の間にビーコンを送信するようにさらに構成される、請求項１に記載の装置。
【請求項５】
前記処理システムは、送信が前記送信間隔とオーバーラップする少なくとも１つのワイヤレスデバイスを識別するように構成される、請求項１に記載の装置。
【請求項６】
前記送信機は、前記リクエストと共に前記少なくとも１つのワイヤレスデバイスにインジケーションを提供するように構成される、請求項５に記載の装置。
【請求項７】
前記インジケーションは、少なくとも１つのＭＡＣ ＩＤを備える、請求項６に記載の装置。
【請求項８】
ワイヤレス通信のための装置であって、
第１のワイヤレスデバイスからターゲットウェイクアップ時間、すなわちＴＷＴ、のリクエストを受信するように構成された受信機と、ここで、前記ＴＷＴの前記リクエストは、前記第１のワイヤレスデバイスの前記送信間隔の間にネットワークトラフィックを制限するための制限されたアクセスウィンドウ、すなわちＲＡＷ、を確立するためのリクエストを備える、
前記ＲＡＷのインジケーションを送信するように構成された送信機と
を備える、装置。
【請求項９】
前記ＴＷＴリクエストは、前記装置が前記送信間隔の間にネットワークトラフィックを制限するための前記ＲＡＷを確立するための前記リクエストを前記ＴＷＴリクエストがシグナリングすることを示す少なくとも１つのビットを備える、請求項８に記載の装置。
【請求項１０】
前記送信機は、前記第１のワイヤレスデバイスを、前記ＲＡＷの間に送信することが許可されたものとして識別するようにさらに構成される、請求項８に記載の装置。
【請求項１１】
前記リクエストは、少なくとも前記第２のワイヤレスデバイスのインジケーションを含む、請求項８に記載の装置。
【請求項１２】
前記インジケーションは、少なくとも１つのＭＡＣ ＩＤを備える、請求項１１に記載の装置。
【請求項１３】
送信が前記第１のワイヤレスデバイスの前記送信間隔と潜在的にオーバーラップする他のワイヤレスデバイスにサービス提供している１つ以上のワイヤレスデバイスを識別するように構成された処理システムをさらに備える、請求項８に記載の装置。
【請求項１４】
装置によるワイヤレス通信のための方法であって、前記装置はワイヤレスノードにワイヤレス通信可能に結合され、
送信間隔を識別することと、
前記ワイヤレスノードにターゲットウェイクアップ時間、すなわちＴＷＴ、のリクエストを送信することと
を備え、前記ＴＷＴの前記リクエストは、前記ワイヤレスノードが前記送信間隔の間にネットワークトラフィックを制限するための制限されたアクセスウィンドウ、すなわちＲＡＷ、を確立するためのリクエストを備える、方法。
【請求項１５】
前記ＴＷＴリクエストは、前記ＲＡＷを確立するためのリクエストを示す少なくとも１つのビットを備える、請求項１４に記載の方法。
【請求項１６】
前記ＴＷＴリクエストに対する応答を受信することをさらに備え、前記応答は、前記リクエストが許可されたかどうかを示す少なくとも１つのビットを備える、請求項１５に記載の方法。
【請求項１７】
前記送信することは、前記送信間隔の間にビーコンを送信することを備える、請求項１４に記載の方法。
【請求項１８】
前記識別することは、送信が前記送信間隔とオーバーラップする少なくとも１つのワイヤレスデバイスを識別することを備える、請求項１４に記載の方法。
【請求項１９】
前記送信することは、前記リクエストと共に前記少なくとも１つのワイヤレスデバイスにインジケーションを提供することを備える、請求項１８に記載の方法。
【請求項２０】
前記インジケーションは、少なくとも１つのＭＡＣ ＩＤを備える、請求項１９に記載の方法。
【請求項２１】
装置によるワイヤレス通信のための方法であって、
第１のワイヤレスデバイスからターゲットウェイクアップ時間、すなわちＴＷＴ、のリクエストを受信することと、ここで、前記ＴＷＴの前記リクエストは、前記第１のワイヤレスデバイスの送信間隔の間にネットワークトラフィックを制限するための制限されたアクセスウィンドウ、すなわちＲＡＷ、を確立するためのリクエストを備える、
前記ＲＡＷのインジケーションをシグナリングすることと
を備える、方法。
【請求項２２】
前記ＴＷＴリクエストは、前記装置が前記送信間隔の間にネットワークトラフィックを制限するための前記ＲＡＷを確立するための前記リクエストを前記ＴＷＴリクエストがシグナリングすることを示す少なくとも１つのビットを備える、請求項２１に記載の方法。
【請求項２３】
前記送信することは、前記第１のワイヤレスデバイスを、前記ＲＡＷの間に送信することが許可されたものとして識別することを備える、請求項２１に記載の方法。
【請求項２４】
前記リクエストは、少なくとも前記第２のワイヤレスデバイスのインジケーションを含む、請求項２１に記載の方法。
【請求項２５】
前記インジケーションは、少なくとも１つのＭＡＣ ＩＤを備える、請求項２４に記載の方法。
【請求項２６】
送信が前記第１のワイヤレスデバイスの前記送信間隔と潜在的にオーバーラップする他のワイヤレスデバイスにサービス提供している１つ以上のワイヤレスデバイスを識別することをさらに備える、請求項２１に記載の方法。
【請求項２７】
請求項１４乃至２０、または２１乃至２６のいずれか１項に記載のステップを実行するように１つ以上のプロセッサによって実行可能な命令を記憶したコンピュータ可読媒体。
【国際調査報告】
2016521089.tif 000012
2016521089.tif 000013
2016521089.tif 000014